(57)【要約】【課題】放熱器から放熱される熱を、静止誘導電器ケースに取付けられたブッシングのブッシング導体の外部端子部および外部リード線に伝わり難くし、ブッシング導体の外部端子部の温度上昇を抑制する。【解決手段】鉄心およびコイルを有する静止誘導電器本体と、この静止誘導電器本体を絶縁油とともに収納した静止誘導電器ケースと、該静止誘導電器ケースの外周面に取付けられた波形の放熱器と、該放熱器の上方に位置して前記静止誘導電器ケースの外側面に取付けられたブッシングとを備えた静止誘導電器であって、静止誘導電器ケース５の外側面に取付けられた放熱器６とブッシング７との間に位置する静止誘導電器ケース５の外側面に、ブッシング７の外部端子部１０の温度上昇を抑制するための遮熱板を取付ける。【選択図】図１
2010067804.tif 000002
【特許請求の範囲】
【請求項１】
鉄心およびコイルを有する静止誘導電器本体と、この静止誘導電器本体を絶縁油とともに収納した静止誘導電器ケースと、該静止誘導電器ケースの外周面に取付けられた波形の放熱器と、該放熱器の上方に位置して前記静止誘導電器ケースの外側面に取付けられたブッシングとを備えた静止誘導電器において、
前記放熱器と前記ブッシングとの間に位置する前記静止誘導電器ケースの外側面には、前記ブッシングの外部端子部の温度上昇を抑制するための遮熱板が取付けられていること
を特徴とする静止誘導電器。
【請求項２】
前記ブッシングの外部端子部の温度上昇を抑制するための遮熱板は、前記静止誘導電器ケースの径方向に対して傾斜して取付けられていること
を特徴とする請求項１に記載の静止誘導電器。
【請求項３】
前記ブッシングの外部端子部の温度上昇を抑制するための遮熱板は、円弧状に形成されていること
を特徴とする請求項１または２に記載の静止誘導電器。
【請求項４】
前記遮熱板は、前記静止誘導電器の運転時における前記絶縁油の最高油面位置よりも上部の空気層部に位置するように前記静止誘導電器ケースの外側面に取付けられていること
を特徴とする請求項１〜３に記載の静止誘導電器。
【請求項５】
鉄心およびコイルを有する静止誘導電器本体と、この静止誘導電器本体を絶縁油とともに収納した静止誘導電器ケースと、該静止誘導電器ケースの外周面に取付けられた上下両端部を開口せしめた中空形状の放熱用リブと、該放熱用リブの上方に位置して前記静止誘導電器ケースの外側面に取付けられたブッシングとを備えた静止誘導電器において
前記放熱用リブは、前記ブッシングの外部端子部の温度上昇を抑制するため、前記放熱用リブの上端側が前記静止誘導電器ケースの外方に向かって折り曲げ成形され、該折り曲げ部の前記静止誘導電器ケースと対面する側の開口部は板状部材で閉塞されていること
を特徴とする静止誘導電器。
【発明の詳細な説明】
【技術分野】
【０００１】
本発明は、放熱器の上方に位置して静止誘導電器ケースの側面に取付けられたブッシングを有する変圧器、リアクトル等の静止誘導電器に関するものである。
【背景技術】
【０００２】
変圧器などのように、電器本体をケース内に収容した静止誘導電器においては、電器本体の端子を外部に導出するために、電器本体を収容したケースにブッシングが取付けられている。
【０００３】
一般に従来の静止誘導電器は、巻線と鉄心とを含む静止誘導電器本体と、この静止誘導電器本体を絶縁油とともに収納した静止誘導電器ケースと、該静止誘導電器ケースの外周面に取付けられた放熱器と、該放熱器の上方に位置して前記静止誘導電器ケースの側面に取付けられたブッシングとにより構成されている。
【０００４】
静止誘導電器に使用している絶縁油の温度上昇値は、期待寿命の関係上、巻線に使用している絶縁物の許容温度によって規定されている。しかし、大容量の静止誘導電器においては、巻線からの発熱量が大きくなるため、絶縁油の量を多くする必要があるが、コストが高くなるため、静止誘導電器ケースの外周面には全周に亘って放熱器を設けて放熱面積を大きくしていた。
【０００５】
絶縁油の温度上昇値を抑制するための放熱器としては、特許文献１に示されているように、薄鋼板を波形状にして突出ひだを形成し、該突出ひだの上下両端部を押し潰して溶接接合し、絶縁媒体が自由に出入りできるようにした放熱器、或るいは、特許文献２に示されているように、薄鋼板を波形状に形成し、その上下両端部を開口せしめた中空形状の放熱用リブをその一方の頂部を静止誘導電器ケースに固着して設け、前記放熱用リブと静止誘導電器ケースとの縦方向の間隙を経て空気を流通させて静止誘導電器を冷却するように構成した放熱器が用いられている。
【０００６】
ブッシングのブッシング導体の先端側の外部端子部には外部から引き込まれる外部リード線が締め付け固定され、ブッシング導体の後端側に形成されているネジ部には静止誘導電器本体の巻線から引き出された内部リード線が締め付け固定されて、外部から引き込まれる外部リード線と静止誘導電器本体から引き出された内部リード線の間が電気的に接続される。
【特許文献１】実用新案登録第３０７５３１６号公報
【特許文献２】特開平７−１０６１５０号公報
【特許文献３】特開２００８−４２６８号公報
【発明の開示】
【発明が解決しようとする課題】
【０００７】
絶縁油の熱は、放熱器により外部に効率よく放熱されているが、この放熱された熱は、対流により静止誘導電器ケースの上方へと上昇していくため、放熱器の上方に取付けられているブッシングおよび外部リード線が加熱される。また、ブッシング導体と内部リード線の接続部において温度上昇した熱がブッシング導体を伝導して外部端子部側に移動し、外部端子部の温度が高くなる。このため、ブッシングの外部端子部の温度は、放熱器からの熱と、ブッシングの通電による発熱とが合されて非常に高くなり、不用意に人がブッシングの外部端子部に触れると火傷する虞がある。また、外部リード線は樹脂で被覆されているため、ブッシングの外部端子部の温度が高くなると樹脂が溶ける虞がある。そのため、ブッシングの通電による温度上昇値以上に、放熱器からの熱による温度上昇値分を抑制する必要があり、ブッシングの外部端子部の断面積を大きくし、静止誘導電器の容量で必要とされる断面積以上の断面積として温度上昇を所定の温度範囲内とする必要があった。
【０００８】
しかしながら、外部端子部の断面積を静止誘導電器の容量で必要とされる断面積以上に大きくすることは、不経済でコスト高になるという問題があった。また、静止誘導電器の容量が大きくなると、これに伴って内部リード線を流れる電流も増大するため、外部端子部の断面積をより大きくしなければならなく、より不経済でコスト高になり、且つ、静止誘導電器の大形化を招くという問題があった。
【０００９】
本発明の目的は、ブッシングの外部端子部の断面積を静止誘導電器の容量で必要とされる断面積以上に大きくすることなく、ブッシングの外部端子部の温度上昇を抑制できるようにした静止誘導電器を提供することにある。
【課題を解決するための手段】
【００１０】
第１の発明は、放熱器とブッシングとの間に位置する静止誘導電器ケースの外側面に、ブッシングの外部端子部の温度上昇を抑制するための遮熱板が配設されている。
【００１１】
第２の発明は、ブッシングの外部端子部の温度上昇を抑制するための遮熱板が、静止誘導電器ケースの径方向に対して傾斜して配設されている。
【００１２】
第３の発明は、ブッシングの外部端子部の温度上昇を抑制するための遮熱板が、円弧状に形成されている。
【００１３】
第４の発明は、ブッシングの外部端子部の温度上昇を抑制するための遮熱板が、静止誘導電器の運転時における絶縁油の最高油面位置よりも上部の空気層部に位置するように前記静止誘導電器ケースの外側面に取付けられている
【００１４】
第５の発明は、静止誘導電器ケースの外周面に取付けられた放熱器が、その上下両端部を開口せしめた中空形状の放熱用リブから成り、ブッシングの外部端子部の温度上昇を抑制するため、放熱用リブの上端側が静止誘導電器ケースの外方側に向かって折り曲げ成形され、該折り曲げ部の前記静止誘導電器ケースと対面する側の開口部は板状部材で閉塞されている。
【発明の効果】
【００１５】
以上のように、第１の発明によれば、放熱器とブッシングとの間に位置する静止誘導電器ケースの外側面に、ブッシングの外部端子部の温度上昇を抑制するための遮熱板を取付けている。そのため、放熱器からの熱を遮熱板により横方向に放散でき、ブッシングに熱が伝わり難くなり、ブッシングおよびブッシングの外部端子部に接続されている外部リード線の過熱が抑制でき、ブッシングの外部端子部のコンパクト化が図られるとともに、遮熱板自身も放熱器として利用でき、静止誘導電器の放熱効率を向上させることができる。
【００１６】
第２および第３の発明によれば、遮熱板を静止誘導電器ケースの径方向に対して傾斜して配設するか、あるいは遮熱板を円弧状に形成している。そのため、上記の効果に加えて、静止誘導電器ケースと遮熱板との接合部に雨水が溜まるのを防止でき、発錆による静止誘導電器ケースの機械的強度が低下するのを防止することができる。
【００１７】
第４の発明によれば、遮熱板を静止誘導電器の運転時における絶縁油の最高油面位置よりも上部の空気層部に位置するように静止誘導電器ケースの外側面に取付けている。そのため、遮熱板には絶縁油からの熱が伝導することがなく、遮熱板からの放熱量は、放熱器から放熱される熱量より少なく、ブッシングに伝わる熱量を低減させることができる。
【００１８】
第５の発明によれば、放熱器が、その上下両端部を開口せしめた中空形状の放熱用リブから成り、該放熱用リブの上端部を静止誘導電器ケースの外方側に向かって折り曲げ成形するとともに、該折り曲げ部の前記静止誘導電器ケースと対面する側の開口部は板状部材で閉塞している。そのため、上記のように遮熱板を設けることなく、リブ内を上昇してくる暖められた空気を横方向に放散でき、ブッシングに熱が伝わり難くなり、ブッシングおよびブッシングの外部端子部に接続されている外部リード線の過熱が抑制でき、ブッシングの外部端子部のコンパクト化が図られる。
【発明を実施するための最良の形態】
【００１９】
以下図面を参照して本発明の好ましい実施形態を詳細に説明する。図１は本発明に係わる静止誘導電機の実施形態１を概略的に示した縦断面図、図２は実施形態２の要部を概略的に示した正面図、図３は実施形態３の要部を概略的に示した正面図、図４は実施形態４を概略的に示した縦断面図、図５は図４の要部を概略的に示した正面図である。
【００２０】
図１において静止誘導電器は、巻線１と鉄心２とを含む静止誘導電器本体３と、この静止誘導電器本体３を絶縁油４とともに収納した静止誘導電器ケース５と、該静止誘導電器ケース５の外周面に取付けられた波形状の放熱器６と、該放熱器６の上方に位置して前記静止誘導電器ケース５の側面に取付けられたブッシング７とにより構成されている。
【００２１】
放熱器６とブッシング７との間に位置する静止誘導電器ケース５の外側面には遮熱板８が取付けられている。前記遮熱板８は、前記静止誘導電器ケース５の外側面から前記ブッシング７の外部端子部１０の先端までの長さよりも長い幅に設定されていて、静止誘導電器ケース側が低く、外方側が高くなるように傾斜させて取付けられており、該遮熱板８が放熱器から上昇する熱を遮って横方向（矢印方向）に放散させ、ブッシング７に熱が伝わり難くなっている。
【００２２】
ブッシングの外部端子部１０の温度上昇を抑制するための遮熱板８は、絶縁油４からの熱が伝導しないように、放熱器６とブッシング７との間に位置し、且つ、静止誘導電器の運転時における絶縁油の最高油面位置よりも上部の空気層部９に位置するように前記静止誘導電器ケースの外側面に取付けておくのが好ましい。
【００２３】
ブッシング７の図示しないブッシング導体の先端側の外部端子部１０には外部から引き込まれる外部リード線１１の先端に取付けた接続金具１２がボルト１３と図示しないナットとにより締付け固定され、図示しないブッシング導体の後端側に形成されている図示しない雄ネジ部には静止誘導電器本体３の巻線１から引出された内部リード線１４の先端が図示しない雄ネジ部に螺合したナット１５により締付け固定されて、外部から引き込まれる外部リード線１１と静止誘導電器本体３から引出された内部リード線１４の間が電気的に接続される。
【００２４】
図２ないし図４は本発明に係わる静止誘導電器の他の実施形態を示している。これらの図面においては、上記実施形態と同一の要素には、上記実施形態と同一の符号を付しており、適宜説明を省略する。
【００２５】
図２は、本発明に係わる静止誘導電器の実施形態２の要部を示した概略正面図である。本実施形態の静止誘導電器は、ブッシング７の外部端子部１０の温度上昇を抑制するための遮熱板８が静止誘導電器ケース５の径方向に対して傾斜して取付けられている点が上記した実施形態と異なっている。
【００２６】
図３は、本発明に係わる静止誘導電器の実施形態３の要部を示した概略正面図である。本実施形態の静止誘導電器は、ブッシング７の外部端子部１０の温度上昇を抑制するための遮熱板８が円弧状に形成されている点が上記したいずれの実施形態とも異なっている。
【００２７】
図４は、本発明に係わる静止誘導電器の実施形態４を概略的に示した縦断面図である。本実施形態の静止誘導電器は、静止誘導電器ケース５の外周面に取付けられた放熱器６が、その上下両端部を開口せしめた中空形状の放熱用リブ１６から成り、ブッシング７の外部端子部１０の温度上昇を抑制するため、放熱用リブ１６の上端側が静止誘導電器ケース５の外方側に向かって折り曲げ成形され、該折り曲げ部の前記静止誘導電器ケース５と対面する側の開口部が板状部材１７で閉塞されている点が上記したいずれの実施形態とも異なっている。そのため、上記のように遮熱板８を取付けることなく、放熱用リブ１６内を上昇してくる暖められた空気を横方向（矢印方向）に放散させてブッシング７に熱が伝わり難くなっている。
【図面の簡単な説明】
【００２８】
【図１】本発明に係わる静止誘導電器の実施形態１を概略的に示した縦断面図である。
【図２】本発明に係わる静止誘導電器の実施形態２の要部を示した概略正面図である。
【図３】本発明に係わる静止誘導電器の実施形態３の要部を示した概略正面図である。
【図４】本発明に係わる静止誘導電器の実施形態４を概略的に示した縦断面図である。
【符号の説明】
【００２９】
１      巻線
２      鉄心
３      静止誘導電器本体
４      絶縁油
５      静止誘導電器ケース
６      放熱器
７      ブッシング
８      遮熱板
９      空気層部
１０    外部端子部
１１    外部リード線
１２    接続金具
１３    ボルト
１４    内部リード線
１５    ナット
１６    放熱用リブ
１７    板状部材
【図１】
2010067804.tif 000003
【図２】
2010067804.tif 000004
【図３】
2010067804.tif 000005
【図４】
2010067804.tif 000006